(57)【要約】  ブロードキャストシステムにおける制御情報を含むフレームを送受信する装置及び方法を提供する。ブロードキャストサービスのためのフレームは、インバンドシグナリング方式を用いて構成され、次のフレームでの制御情報の位置情報及び次のフレームでの制御情報が変更されるか否かを示す指示情報を含む。新たなフレーム構成は、ブロードキャストサービスをサポートする受信器の電力消費を最小にする。【選択図】図３
2011517377.tif 000002
【特許請求の範囲】
【請求項１】
ブロードキャストサービスをサポートし、フレーム構成部及びフレーム送信部を含むシステムにおける制御情報を含むフレームを送信する方法であって、
前記フレーム構成部により、少なくとも１つの物理レイヤーパイプ（ＰＬＰ）を含み、次のフレームで前記ブロードキャストサービスのための制御情報が変更されるか否かを示す指示情報を前記少なくとも１つの物理レイヤーパイプ内に含むようにフレームを構成するステップと、
前記フレーム送信部により、前記構成されたフレームを送信するステップと、を有することを特徴とする方法。
【請求項２】
前記制御情報は、前記ブロードキャストサービスに従って少なくとも１つのフレームを含むスーパーフレームの単位で変更されることを特徴とする請求項１に記載の方法。
【請求項３】
前記制御情報は、前記スーパーフレームの単位で変更される設定情報を含むことを特徴とする請求項２に記載の方法。
【請求項４】
前記指示情報を割り当てられた複数のビットで設定するステップを更に有し、前記複数のビットは、変更されるスーパーフレームを示すことを特徴とする請求項３に記載の方法。
【請求項５】
前記指示情報を割り当てられた１つのビットで設定するステップを更に有することを特徴とする請求項１に記載の方法。
【請求項６】
前記指示情報は、前記ブロードキャストサービスのためのブロードキャストデータが送信されるデータ物理レイヤーパイプに含まれることを特徴とする請求項１に記載の方法。
【請求項７】
前記ブロードキャストサービスに従ってフレーム単位で前記制御情報を変更するステップを更に有することを特徴とする請求項１に記載の方法。
【請求項８】
前記制御情報は、動的情報を含むことを特徴とする請求項７に記載の方法。
【請求項９】
前記動的情報は、前記少なくとも１つの物理レイヤーパイプの位置情報を含むことを特徴とする請求項８に記載の方法。
【請求項１０】
前記制御情報は、前記少なくとも１つの物理レイヤーパイプと前記ブロードキャストサービスのためのブロードキャストデータが送信されるサービスチャネルとの間のマッピング情報を含むことを特徴とする請求項１に記載の方法。
【請求項１１】
ブロードキャストサービスをサポートするシステムにおける制御情報を含むフレームを送信する装置であって、
少なくとも１つの物理レイヤーパイプ（ＰＬＰ）を含むフレームを構成するフレーム構成部と、
前記構成されたフレームを送信する送信部と、を具備し、
前記少なくとも１つの物理レイヤーパイプは、次のフレームで前記ブロードキャストサービスのための制御情報が変更されるか否かを示す指示情報を含むことを特徴とする装置。
【請求項１２】
前記フレームは、少なくとも１つのフレームを含むスーパーフレームを具備することを特徴とする請求項１１に記載の装置。
【請求項１３】
スーパーフレームの単位で設定情報を変更するようにスケジューリングを実行するスケジューラを更に具備することを特徴とする請求項１２に記載の装置。
【請求項１４】
複数のビットを前記指示情報に割り当てるためのインバンドシグナリング信号生成部を更に具備し、
前記複数のビットは、変更されるスーパーフレームを示すことを特徴とする請求項１３に記載の装置。
【請求項１５】
１つのビットを前記指示情報に割り当てるためのインバンドシグナリング信号生成部を更に具備することを特徴とする請求項１１に記載の装置。
【請求項１６】
前記少なくとも１つの物理レイヤーパイプは、前記ブロードキャストサービスのためのブロードキャストデータが送信されるデータ物理レイヤーパイプを具備することを特徴とする請求項１１に記載の装置。
【請求項１７】
前記ブロードキャストサービスに従ってフレーム単位で前記制御情報を変更するようにスケジューリング結果を提供するスケジューラを更に具備することを特徴とする請求項１１に記載の装置。
【請求項１８】
前記制御情報は、動的情報を具備することを特徴とする請求項１７に記載の装置。
【請求項１９】
前記制御情報は、前記少なくとも１つの物理レイヤーパイプの位置情報を含む動的情報を更に具備することを特徴とする請求項１８に記載の装置。
【請求項２０】
前記制御情報を変更するようにスケジューリング結果を提供するスケジューラを更に具備し、
前記制御情報は、前記少なくとも１つの物理レイヤーパイプと前記ブロードキャストサービスのためのブロードキャストデータが送信されるサービスチャネルとの間のマッピング情報を含むことを特徴とする請求項１１に記載の装置。
【請求項２１】
ブロードキャストサービスをサポートし、受信器及び信号抽出部を含むシステムにおける制御情報を含むフレームを受信する方法であって、
前記受信器により、少なくとも１つの物理レイヤーパイプ（ＰＬＰ）を含み、次のフレームで前記ブロードキャストサービスのための制御情報が変更されるか否かを示す指示情報を前記少なくとも１つの物理レイヤーパイプ内に含むフレームを受信するステップと、
前記信号抽出部により、前記指示情報を抽出するステップと、
前記抽出された指示情報に基づいて前記次のフレームで前記制御情報を受信するか又は前記制御情報を受信せずにデータ情報を受信するかを決定するステップと、を有することを特徴とする方法。
【請求項２２】
前記フレームは、前記ブロードキャストサービスに従って少なくとも１つのフレームを含むスーパーフレームを含むことを特徴とする請求項２１に記載の方法。
【請求項２３】
前記制御情報は、スーパーフレームの単位で変更される設定情報を含むことを特徴とする請求項２２に記載の方法。
【請求項２４】
前記指示情報を割り当てられた複数のビットで設定するステップを更に有し、前記複数のビットは、変更されるスーパーフレームを示すことを特徴とする請求項２３に記載の方法。
【請求項２５】
前記指示情報を割り当てられた１つのビットで設定するステップを更に有することを特徴とする請求項２１に記載の方法。
【請求項２６】
前記指示情報は、前記ブロードキャストサービスのためのブロードキャストデータが送信されるデータ物理レイヤーパイプ内に含まれることを特徴とする請求項２１に記載の方法。
【請求項２７】
前記ブロードキャストサービスに従ってフレーム単位で前記制御情報を変更するステップを更に有することを特徴とする請求項２１に記載の方法。
【請求項２８】
前記制御情報は、動的情報を含むことを特徴とする請求項２７に記載の方法。
【請求項２９】
前記動的情報は、前記少なくとも１つの物理レイヤーパイプの位置情報を含むことを特徴とする請求項２８に記載の方法。
【請求項３０】
前記制御情報は、前記少なくとも１つの物理レイヤーパイプと前記ブロードキャストサービスのためのブロードキャストデータが送信されるサービスチャネルとの間のマッピング情報を含むことを特徴とする請求項２１に記載の方法。
【請求項３１】
前記抽出された指示情報が前記次のフレームで前記制御情報が変更されないことを示す場合に、前記制御情報を受信する受信部をターンオフするステップと、
前記データ情報を受信する受信部をターンオンするステップと、を更に有することを特徴とする請求項２１に記載の方法。
【請求項３２】
前記抽出された指示情報が前記次のフレームで前記制御情報が変更されることを示す場合に、前記制御情報を受信する受信部をターンオンするステップと、
前記変更された制御情報を受信するステップと、
前記変更された制御情報に対応するデータ情報を受信する受信部をターンオンするステップと、を更に有することを特徴とする請求項２１に記載の方法。
【請求項３３】
ブロードキャストサービスをサポートするシステムにおける制御情報を含むフレームを受信する装置であって、
少なくとも１つの物理レイヤーパイプ（ＰＬＰ）を含み、次のフレームで前記ブロードキャストサービスのための制御情報が変更されるか否かを示す指示情報を前記少なくとも１つの物理レイヤーパイプ内に含むフレームを受信する受信部と、
前記指示情報を抽出するインバンドシグナリング信号抽出部と、
前記抽出された指示情報に基づいて前記次のフレームで前記制御情報を受信するか又は前記制御情報を受信せずにデータ情報を受信するかを決定し、前記受信部を選択的にターンオンするか又はターンオフする制御部と、を具備することを特徴とする装置。
【請求項３４】
前記フレームは、少なくとも１つのフレームを含むスーパーフレームを具備することを特徴とする請求項３３に記載の装置。
【請求項３５】
前記指示情報は、設定情報を変更するように設定され、前記インバンドシグナリング信号抽出部は、スーパーフレームの単位で前記指示情報を抽出することを特徴とする請求項３４に記載の装置。
【請求項３６】
前記指示情報は、変更されるスーパーフレームを示す複数のビットを具備することを特徴とする請求項３５に記載の装置。
【請求項３７】
前記指示情報は、１つのビットを具備することを特徴とする請求項３３に記載の装置。
【請求項３８】
前記少なくとも１つの物理レイヤーパイプは、前記ブロードキャストサービスのためのブロードキャストデータが送信されるデータ物理レイヤーパイプを具備することを特徴とする請求項３３に記載の装置。
【請求項３９】
前記指示情報は、フレーム単位で前記制御情報を変更するように設定されることを特徴とする請求項３３に記載の装置。
【請求項４０】
前記制御情報は、動的情報を具備することを特徴とする請求項３９に記載の装置。
【請求項４１】
前記動的情報は、前記少なくとも１つの物理レイヤーパイプの位置情報を具備することを特徴とする請求項４０に記載の装置。
【請求項４２】
前記制御情報は、前記少なくとも１つの物理レイヤーパイプと前記ブロードキャストサービスのためのブロードキャストデータが送信されるサービスチャネルとの間のマッピング情報を具備することを特徴とする請求項３３に記載の装置。
【請求項４３】
前記指示情報が前記次のフレームで前記制御情報が変更されないことを示す場合に、前記制御部は、前記制御情報を受信するシグナリング受信部をターンオフし、前記データ情報を受信するデータ受信部をターンオンすることを特徴とする請求項３３に記載の装置。
【請求項４４】
前記指示情報が前記次のフレームで前記制御情報が変更されることを示す場合に、前記制御部は、前記制御情報を受信するシグナリング受信部をターンオンし、前記シグナリング受信部を介して受信した変更された制御情報に対応するデータ情報を受信するデータ受信部をターンオンすることを特徴とする請求項３３に記載の装置。
【発明の詳細な説明】
【技術分野】
【０００１】
本発明は、ブロードキャストシステムに関し、より詳細には、制御情報を含むフレームを送受信する装置及び方法に関する。
【背景技術】
【０００２】
現在、通信及び放送技術の発達によりブロードキャストシステム又は移動通信システムでは、ブロードキャストサービスを提供するための新たな方案を模索しており、音声及び画像のような通常のブロードキャストサービスだけでなくブロードキャストサービスチャネルを介してパケットデータのような最新のサービスを送信することができる先進サービスについての論議が進んでいる。
【０００３】
また、ブロードキャストサービスは、デジタル化、多チャネル化、広帯域、及び高品質などに対するユーザ及び消費者の欲求を充足させるために、様々な通信方式を適用することにより発展している。特に、最近では、高画質デジタルテレビジョン及び携帯用マルチメディアプレーヤ（Ｐｏｒｔａｂｌｅ  Ｍｕｌｔｉｍｅｄｉａ  Ｐｌａｙｅｒ：以下、“ＰＭＰ”と称する。）を含む携帯用ブロードキャストデバイスの普及が拡大されるに伴って、ブロードキャストサービスを支援するための様々なサービス方式に対する要求が増している。
【０００４】
図１は、本発明が適用されるブロードキャストサービスのためのフレーム構成を示す図である。
【０００５】
図１を参照すると、１つのフレーム１０１は、プリアンブル１０２、レイヤー１（以下、“Ｌ１”と称する。）シグナリング１０３、レイヤー２（以下、“Ｌ２”と称する。）シグナリング１０４、及び少なくとも１つの物理レイヤーパイプ（Ｐｈｙｓｉｃａｌ  Ｌａｙｅｒ  Ｐｉｐｅ：以下、“ＰＬＰ”と称する。）１０５、１０６、…、１０７を含む。プリアンブル１０２は、送信器と受信器との間の時間及び周波数同期を取得するか又はフレーム境界に対する同期などを取得するのに使用される情報を含む。物理レイヤーシグナリングであるＬ１シグナリング１０３は、Ｌ１静的情報１０８、Ｌ１設定情報１０９、及びＬ１動的情報１１０を含む。参考までに、Ｌ１シグナリングは、Ｐ２シンボルを介して送信される。
【０００６】
Ｌ１静的情報１０８は、時間的に殆ど変わらない情報を含む。例えば、Ｌ１静的情報１０８は、セル識別子、ネットワーク識別子、無線周波数（ＲＦ）チャネル数、フレーム長さ、及びパイロットサブキャリア位置等に関する情報を含むことができる。
【０００７】
Ｌ１設定情報１０９は、フレーム毎に変わらないが、たまに変わることもある情報、即ち、一般的に複数のフレームの間で維持される情報を含む。例えば、Ｌ１設定情報１０９は、サービス識別子、サービス別データ送信に使用される変調次数、符号化率等に関する情報を含むことができる。ここで、Ｌ１静的情報１０８及びＬ１設定情報１０９が変わる単位をスーパーフレームとして定義し、これは、少なくとも１つのフレームを含む。
【０００８】
Ｌ１動的情報１１０は、フレーム毎に変わることがある情報を含む。例えば、Ｌ１動的情報１１０は、各ＰＬＰが現在のレームで送信される位置に関連した情報を含むことができる。更に具体的に、対応するＰＬＰの開始位置及び終了位置に関する情報、即ち、フレームを介して送信される複数のＰＬＰに関する位置情報を含むことができる。複数のＰＬＰの位置は、次のフレームで変更されることがある。
【０００９】
Ｌ２シグナリング１０４は、メディアアクセス制御（以下、“ＭＡＣ”と称する。）シグナリングを示し、Ｌ２シグナリングが送信されるＰＬＰを‘ＰＬＰ０’とも呼ぶ。Ｌ２シグナリングは、各ＰＬＰ及びブロードキャストサービスチャネル間の接続情報を含む。即ち、Ｌ２シグナリングは、特定のブロードキャストサービスがどのＰＬＰを介して受信されるかを示す情報を含む。
【００１０】
一方、ＰＬＰ＿１（１０５）、ＰＬＰ＿２（１０６）、及びＰＬＰ＿Ｎ（１０７）は、１つ又は複数のブロードキャストサービスチャネルを送信する。実際のブロードキャストサービスデータは、ＰＬＰ＿１（１０５）、ＰＬＰ＿２（１０６）、及びＰＬＰ＿Ｎ（１０７）を介して送信される。従って、ＰＬＰ＿１（１０５）、ＰＬＰ＿２（１０６）、及びＰＬＰ＿Ｎ（１０７）を‘データＰＬＰ’とも呼ぶ。
【００１１】
以下、図１を参照してブロードキャストサービスチャネルを受信する一連の過程について説明する。
【００１２】
図１を参照すると、受信器は、プリアンブル１０２を介してフレーム１０１との同期を取得し、Ｌ１シグナリング１０３からデータ送信方式又はフレーム長さのような情報を取得する。その後に、受信器は、Ｌ２シグナリング１０４に基づいて受信することを希望するブロードキャストサービスチャネルがどのＰＬＰを介して送信されるかを確認する。その後に、受信器は、ＰＬＰ＿１（１０５）、ＰＬＰ＿２（１０６）、及びＰＬＰ＿Ｎ（１０７）に対応するデータＰＬＰを介して実際のブロードキャストデータを受信する。上述したように、受信器は、ブロードキャストサービスチャネルを受信するために、フレーム毎にプリアンブル１０２、Ｌ１シグナリング１０３、Ｌ２シグナリング１０４、及びデータＰＬＰ（１０５〜１０７）を順次に受信する。
【００１３】
一方、通信システムでは、受信器が所定の長い時間の間にブロードキャストサービスチャネルを受信する場合に、フレーム毎にプリアンブル１０２、Ｌ１シグナリング１０３、Ｌ２シグナリング１０４、及びデータＰＬＰ（１０５〜１０７）の受信を防止するために、インバンドシグナリング（ｉｎ−ｂａｎｄ  ｓｉｇｎａｌｉｎｇ）方式が提案されている。インバンドシグナリング方式は、特定のＰＬＰを用いて次のフレームでのＬ１シグナリングの動的情報１１０を送信する。
【００１４】
図２は、従来のインバンドシグナリング方式を適用してブロードキャストサービスをサポートするフレーム構成を示す図である。より具体的に、図２は、時間的に連続したフレームを示す。
【００１５】
図２を参照すると、フレーム＃ｋ２０１の次にフレーム＃（ｋ＋１）２０２がくる。より具体的に、フレーム＃ｋ２０１及びフレーム＃（ｋ＋１）２０２は、ブロードキャストサービスチャネルの受信のために時間的に連続して送信される。フレーム＃ｋ２０１及びフレーム＃（ｋ＋１）２０２は、プリアンブル２０３及び２０９、Ｌ１シグナリング２０４及び２１０、Ｌ２シグナリング２０５及び２１１、及び複数のＰＬＰ２０６、２０７、２１２、２１３、及び２１４をそれぞれ含む。
【００１６】
受信器が特定のブロードキャストサービスチャネルを受信しており、フレーム＃ｋ２０１で、受信器がＰＬＰ＿２（２０７）を介してブロードキャストサービスチャネルを受信すると仮定する。インバンドシグナリング方式を適用する場合に、ＰＬＰ＿２（２０７）は、次のフレームであるフレーム＃（ｋ＋１）２０２でのＰＬＰ＿２の位置を示す動的情報を含む。即ち、受信器は、フレーム＃ｋ２０１で受信したＰＬＰ＿２（２０７）に含まれているインバンドシグナリング情報２１６から同一のブロードキャストサービスチャネルを受信するための次のフレームであるフレーム＃（ｋ＋１）２０２でのＰＬＰ＿２（２１３）を受信するための情報２１７を取得することができる。従って、受信器は、次のフレーム＃（ｋ＋１）２０２でＰ２を介してＬ１シグナリング２１０を受信せず、現在のフレームであるＰＬＰ＿２（２０７）でのインバンドシグナリングによりブロードキャストデータを送信するＰＬＰ＿２（２１３）の位置をチェックするか又は識別することができる。
【００１７】
即ち、このようなインバンドシグナリング方式に従って、フレーム＃ｋ２０１のＰＬＰ＿２（２０７）まで受信を完了した受信器は、次のフレーム＃（ｋ＋１）２０２のＰＬＰ＿２（２１３）を受信するまで、複数の情報、例えば、プリアンブル２０９、Ｌ１シグナリング２１０、及びＬ２シグナリング２１１を受信するための受信器内の装置の電力をパワーオフすることができる。以上のように、受信器の全体の電力消費を節約するという観点でインバンドシグナリング方式が提案された。
【００１８】
しかしながら、実際のブロードキャストサービスのサポートに関連して、インバンドシグナリング方式を用いる受信器は、所望の電力低減効果を直接的に又は実質的に得ることができない問題点を有する。一般に、その理由は、従来のインバンドシグナリング方式において、送信器は、現在のフレーム＃ｋに連続する次のフレーム＃（ｋ＋１）のＰ２を介してＬ１シグナリング２１０内の動的情報だけを送信するためである。このような理由で、実際の受信器は、Ｌ１シグナリング２１０内の動的情報を除いた他の情報、即ち、Ｌ１静的情報及びＬ１設定情報が変更されるか否かに関する情報を有していないので、ブロードキャストサービスを正常に受信することができず、このために、フレーム＃（ｋ＋１）２０２でＰ２を介してＬ１シグナリング２１０を受信する動作を実行しなければならない。
【００１９】
従って、受信器は、Ｌ１シグナリング２１０内の動的情報を除いた他の情報、即ち、Ｌ１静的情報及びＬ１設定情報を受信するために、受信器内の複数の受信装置の電力をパワーオンせざるを得ない実情である。その結果、従来のインバンドシグナリング方式は、受信器の電力節約に大きい効果を提供することができないという問題点があった。
【００２０】
また、従来のインバンドシグナリング方式が特定のＰＬＰの期間の間に次のフレームでのＰ２−Ｌ１シグナリング２１０の動的情報だけを送信するために、各ＰＬＰとブロードキャストサービスチャネルとの間のマッピング関係を示すＬ２シグナリング２１１の情報が変更されるか否かに関する情報を提供することができないという問題点があった。
【００２１】
より具体的に、ＰＬＰ０を介して送信されたＬ２シグナリング２１１での情報が変更されたにもかかわらず、受信器がこの変更を認識することができない場合には、ブロードキャストデータを後で受信する際に致命的なエラーが発生することがある。従って、従来の受信器がインバンドシグナリング方式を適用するとしても、受信器は、プリアンブル２０９、Ｌ１シグナリング２１０、Ｌ２シグナリング２１１、及びデータＰＬＰ２１２〜２１４を順次に受信しなければならない問題点をやはり持っている。
【００２２】
従って、現在のブロードキャストシステムは、従来のインバンドシグナリング方式の適用による問題点を解消する新たなインバンドシグナリング方式を必要とする。また、インバンドシグナリング方式を適用するが、ブロードキャストデータの少なくともある程度の受信エラーを防止するより正確なブロードキャストサービス送信及び受信方法が必要である。
【発明の概要】
【発明が解決しようとする課題】
【００２３】
本発明は、上記従来の問題点に鑑みてなされたものであり、その目的は、ブロードキャストシステムにおいて、改善されたインバンドシグナリング方式を適用することによりブロードキャストサービスのための制御情報を効率的に送信する装置及び方法を提供することにある。
【００２４】
本発明の他の目的は、ブロードキャストシステムにおいて、改善されたインバンドシグナリング方式を適用することによりブロードキャストサービスのためのフレームを構成し、このフレームを送信する装置及び方法を提供することにある。
【００２５】
本発明の他の目的は、ブロードキャストシステムにおいて、次のフレームに含まれている制御情報が変更されるか否かを示す指示情報を現在のフレームに含み、このフレームを送信する装置及び方法を提供することにある。
【００２６】
本発明の他の目的は、ブロードキャストシステムにおいて、インバンドシグナリング方式を適用することによりブロードキャストサービスのためのスーパーフレームを構成し、このスーパーフレームを送信する装置及び方法を提供することにある。
【００２７】
本発明の他の目的は、ブロードキャストシステムにおいて、次のスーパーフレームに含まれている制御情報が変更されるか否かを示す指示情報を現在のスーパーフレームに含み、このスーパーフレームを送信する装置及び方法を提供することにある。
【００２８】
本発明の他の目的は、ブロードキャストシステムにおいて、インバンドシグナリング方式を適用したブロードキャストサービスのための制御情報を効率的に受信する装置及び方法を提供することにある。
【００２９】
本発明の他の目的は、ブロードキャストシステムにおいて、インバンドシグナリング方式を適用して構成されたフレームを受信し、この受信したフレーム内のインバンドシグナリング信号をチェックすることにより変更された制御情報を受信する装置及び方法を提供することにある。
【００３０】
本発明の他の目的は、ブロードキャストシステムにおいて、現在のフレーム内のインバンドシグナリング信号により次のフレームの制御情報が変更されるか否かをチェックすることにより制御情報を選択的に受信する装置及び方法を提供することにある。
【００３１】
本発明の他の目的は、ブロードキャストシステムにおいて、インバンドシグナリング方式に基づいて構成されたスーパーフレームを受信し、受信されたスーパーフレームのインバンドシグナリング信号をチェックすることにより次のスーパーフレームの変更された制御情報を選択的に受信する装置及び方法を提供することにある。
【００３２】
本発明の他の目的は、ブロードキャストシステムにおいて、現在のスーパーフレームに基づいて、次のスーパーフレームに含まれている制御情報が変更されるか否かを示す指示情報をチェックすることにより、次のスーパーフレームの制御情報を選択的に制御する受信装置及び方法を提供することにある。
【００３３】
本発明の他の目的は、ブロードキャストシステムにおいて、改善されたインバンドシグナリング方式を用いてブロードキャストサービスに関連した制御情報をフレーム内に送受信することにより受信器の電力を節約する装置及び方法を提供することにある。
【課題を解決するための手段】
【００３４】
上記目的を達成するために、本発明の一態様によれば、ブロードキャストサービスをサポートするシステムにおける制御情報を含むフレームを送信する方法を提供する。上記方法は、少なくとも１つの物理レイヤーパイプ（ＰＬＰ）を含み、次のフレームで上記ブロードキャストサービスのための制御情報が変更されるか否かを示す指示情報を上記少なくとも１つの物理レイヤーパイプ内に含むようにフレームを構成するステップと、上記構成されたフレームを送信するステップとを有する。
【００３５】
本発明の他の態様によれば、ブロードキャストサービスをサポートするシステムにおける制御情報を含むフレームを送信する装置を提供する。上記装置は、少なくとも１つの物理レイヤーパイプ（ＰＬＰ）を含むフレームを構成するフレーム構成部と、上記構成されたフレームを送信する送信部と、次のフレームで上記ブロードキャストサービスのための制御情報が変更されるか否かを示す指示情報を上記少なくとも１つの物理レイヤーパイプ内に含むようにフレームを構成する上記フレーム構成部を制御する制御部と、を具備する。
【００３６】
本発明の他の態様によれば、ブロードキャストサービスをサポートするシステムにおける制御情報を含むフレームを受信する方法を提供する。上記方法は、少なくとも１つの物理レイヤーパイプ（ＰＬＰ）を含み、次のフレームで上記ブロードキャストサービスのための制御情報が変更されるか否かを示す指示情報を上記少なくとも１つの物理レイヤーパイプ内に含むフレームを受信するステップと、上記指示情報を抽出するステップと、上記抽出された指示情報に基づいて上記次のフレームで上記制御情報を受信するか又は上記制御情報を受信せずにデータ情報を直接受信するかを決定するステップと、を有する。
【００３７】
本発明の他の態様によれば、ブロードキャストサービスをサポートするシステムにおける制御情報を含むフレームを受信する装置を提供する。上記装置は、少なくとも１つの物理レイヤーパイプ（ＰＬＰ）を含み、次のフレームで上記ブロードキャストサービスのための制御情報が変更されるか否かを示す指示情報を上記少なくとも１つの物理レイヤーパイプ内に含むフレームを受信する受信部と、上記指示情報を抽出するインバンドシグナリング信号抽出部と、上記抽出された指示情報に基づいて上記次のフレームで上記制御情報を受信するか又は上記制御情報を受信せずにデータ情報を直接受信するかを決定し、上記受信部を選択的にターンオンするか又はターンオフする制御部と、を具備する。
【発明の効果】
【００３８】
本発明によれば、送信器が現在のフレームのＰＬＰを介して次のフレームの制御情報が変更されるか否かを示す指示情報を送信することにより、受信器が制御情報の受信及びデータ受信による受信器の電力消費を選択的に制御することができるようになる。ここで、フレームは、ブロードキャストサービスに対応するフレームを含み、また、少なくとも１つのフレームで構成されたスーパーフレームを含む。
【００３９】
従って、受信器は、この指示情報により次のスーパーフレームの制御情報が変更されるか否かを現在のスーパーフレームで認知し、受信器内の装置を選択的にターンオン又はターンオフすることにより制御情報を受信し、これにより、ブロードキャストサービスの正確な受信を可能にする。
【００４０】
また、受信器がこの指示情報を用いて次のスーパーフレームの制御情報の変更を予め把握することにより、受信器内の装置の電力消費を減少させると共に致命的なエラーなしにブロードキャストサービスを受信することができるようにする長所を有する。
【図面の簡単な説明】
【００４１】
【図１】本発明が適用されるブロードキャストサービスのためのフレーム構成を示す図である。
【図２】従来のインバンドシグナリング方式を適用したブロードキャストサービスをサポートするフレーム構成を示す図である。
【図３】本発明の一実施形態によるブロードキャストサービスをサポートする送信器の動作を示すフローチャートである。
【図４】本発明の一実施形態によるブロードキャストサービスをサポートする受信器の動作を示すフローチャートである。
【図５】本発明の一実施形態による送信器の構成を示すブロック図である。
【図６】本発明の一実施形態による受信器の構成を示すブロック図である。
【発明を実施するための形態】
【００４２】
本発明の他の目的、利点、及び顕著な特徴は、添付の図面及び本発明の実施形態によりなされた以下の詳細な説明から、より明確になるはずである。
【００４３】
以下、本発明を実施するための形態を、図面を参照しながら詳細に説明する。下記の説明において、明瞭性と簡潔性の観点から、本発明に関連した公知の機能や構成に関する具体的な説明が本発明の要旨を不明瞭にすると判断される場合には、その詳細な説明を省略する。
【００４４】
本発明の実施形態は、ブロードキャストシステムにおいて、少なくとも１つのフレームを含むスーパーフレームを定義し、ここで使用されるスーパーフレームは、Ｌ１静的情報又はＬ１設定情報が変わる単位を示す。説明の便宜のために、下記の説明において、スーパーフレームが１つのフレームのみを含む場合を例に挙げて説明する。しかし、本発明の実施形態は、複数のフレームを含むスーパーフレームにも適用可能である。
【００４５】
本発明の実施形態は、ブロードキャストシステムにおいて、送信器が、受信器のブロードキャストサービスの正確な受信のために次のフレームで制御情報が変更されるか否かを示す指示情報を含むようにブロードキャストサービスフレームを構成し送信する方式を提供する。従って、受信器は、現在のフレームを介して次のフレームで制御情報が変更されるか否かにより受信器内の複数の受信装置の中で特定の受信装置をターンオンするか又はターンオフするかを決定する。即ち、本発明の一実施形態で、受信器は、この制御情報が変更されるか否かをチェックすることによりブロードキャストサービスデータをより正確に受信する。
【００４６】
図３は、本発明の一実施形態によるブロードキャストサービスをサポートする送信器の動作を示すフローチャートである。
【００４７】
図３を参照すると、ステップ３０１で、送信器は、現在のフレームを構成する前に、次のフレームでのＰ２を介して送信されるＬ１シグナリングと、ＰＬＰ０を介して送信されるＬ２シグナリング情報とを決定する。ここで、Ｌ１静的情報、Ｌ１設定情報、及びＬ１動的情報は、Ｌ１シグナリングとして含むことができる。送信器は、Ｌ２シグナリング情報としてＬ２シグナリングが送信されるＰＬＰ、即ち、ＰＬＰ０の位置情報を決定する。また、受信器は、このブロードキャストサービスに関連してデータＰＬＰに関する位置情報を決定する。
【００４８】
ステップ３０２で、送信器は、次のフレームで送信されるこの決定されたＬ１静的情報、Ｌ１設定情報、又はＰＬＰ０情報が現在のフレームでのＬ１静的情報、Ｌ１設定情報、又はＰＬＰ０情報から変更されたか否かを検査する。この検査の結果、Ｌ１静的情報、Ｌ１設定情報、又はＰＬＰ０情報が変更された場合に、ステップ３０３で、送信器は、次のフレームでのＬ１静的情報、Ｌ１設定情報、又はＰＬＰ０情報の変更を示すための指示情報を設定し、この設定された指示情報を、現在のフレームで送信されるデータＰＬＰの中で特定のデータＰＬＰのインバンドシグナリングに含める。
【００４９】
また、本実施形態は、この指示情報が次のフレームでＬ１静的情報、Ｌ１設定情報、Ｌ１動的情報、又はＰＬＰ０情報の変更を示す場合にも適用可能である。しかし、Ｌ１動的情報がフレーム毎に変更可能な情報のタイプであるため、以下、本発明の実施形態では、Ｌ１動的情報なしに設定される指示情報に限定して説明する。かかる定義は、システムオペレータにより選択的であってもよい。
【００５０】
ステップ３０２に戻って、Ｌ１静的情報、Ｌ１設定情報、又はＰＬＰ０情報が次のフレームで変更されなかった場合には、送信器は、ステップ３０４で、次のフレームでＬ１静的情報、Ｌ１設定情報、又はＰＬＰ０情報の変更がないことを示すための指示情報を設定し、この設定された変更がない指示情報を、現在のフレームで送信される各データＰＬＰのインバンドシグナリングに含める。
【００５１】
ステップ３０３及びステップ３０４でこの指示情報を設定する１番目の方法において、所定のビットが現在のフレームでのＬ１静的情報、Ｌ１設定情報、又はＰＬＰ０情報の各々に割り当てられることにより、次のフレームでのＬ１静的情報、Ｌ１設定情報、又はＰＬＰ０情報の変更を示すことができる。例えば、Ｌ１静的情報、Ｌ１設定情報、又はＰＬＰ０情報の各々に１つのビットが割り当てられることにより、この割り当てられたビットの値が‘１’であれば、対応する情報の変更があることを示し、この割り当てられたビットの値が‘０’であれば、対応する情報の変更がないことを示す。或いは、逆の場合も同様である。かかる特定の定義は、システムオペレータにより選択することができる。
【００５２】
また、この指示情報を設定する２番目の方法として、Ｌ１静的情報、Ｌ１設定情報、及びＰＬＰ０情報の全てに対して１つのビットが割り当てられることにより、この割り当てられたビットの値が‘１’であれば、この割り当てられた３種類の情報の中のいずれか１つの情報に変更があることを示し、この割り当てられたビットの値が‘０’であれば、この割り当てられた３種類の情報の中のいずれの情報も変更がないことを示す。或いは、逆の場合も同様である。
【００５３】
更に、この指示情報を設定する３番目の方法として、Ｌ１静的情報、Ｌ１設定情報、及びＰＬＰ０情報の全てに対して複数のビットが割り当てられることにより、この情報が現在のフレームから何番目のフレームで変わるかを示すことができる。
【００５４】
例えば、８ビットが割り当てられる場合に、‘００００００００’は、次のフレームでいずれの情報も変わらないことを示し、他方、‘００００１０１０’（十進数で１０）は、Ｌ１静的情報、Ｌ１設定情報、及びＰＬＰ０情報の中のいずれか１つの情報が現在のフレームから１０番目に対応するフレームで変わることを示す。従って、Ｌ１静的情報、Ｌ１設定情報、又はＰＬＰ０情報のためのビット割り当てを拡張することができる。
【００５５】
本発明で、送信器が現在のフレームで次のフレームに関する制御情報が変更されるか否かを示す指示情報を設定することにより、受信器がインバンドシグナリングの指示情報、即ち、Ｌ１静的情報、Ｌ１設定情報、又はＰＬＰ０情報に対応する各ビットの変更があるか否かを確認することができるようにし、これにより、受信器が受信器の電力を適切にターンオンするか又はターンオフすることができるようにする。その結果、受信器は、電力消費を選択的に低減させることができる。
【００５６】
ステップ３０５で、送信器は、この現在のフレームがプリアンブル、Ｌ１シグナリング、Ｌ２シグナリング、及び次のフレームでＬ１静的情報、Ｌ１設定情報、又はＰＬＰ０情報の変更があるか否かを示す指示情報を含む少なくとも１つのデータＰＬＰを含むように現在のフレームを構成する。送信器は、この構成された現在のフレームを受信器に送信する。
【００５７】
ステップ３０６で、送信器は、現在のフレームに連続する次のフレームに対して、上述したステップ３０１〜ステップ３０５と同一の過程を実行することにより次のフレームを構成する。
【００５８】
本発明の他の実施形態において、この指示情報は、次のフレームでＬ１静的情報、Ｌ１設定情報、Ｌ１動的情報、又はＰＬＰ０情報の変更を示すために適用することもできる。
【００５９】
図４は、本発明の一実施形態によるブロードキャストサービスをサポートする受信器の動作を示すフローチャートである。
【００６０】
図４を参照すると、ステップ４０１で、受信器は、受信中である現在のフレーム＃ｋのデータＰＬＰ内のインバンドシグナリングから次のフレームでＬ１静的情報、Ｌ１設定情報、又はＰＬＰ０情報が変更されるか否かを示すための指示情報を取得する。また、受信器は、次のフレームで同一のＰＬＰの位置情報、即ち、Ｌ１動的情報を取得する。即ち、ステップ４０１で、受信器は、取得した同一のＰＬＰの位置情報（Ｌ１動的情報）、Ｌ１静的情報、Ｌ１設定情報、又はＰＬＰ０情報が変更されるか否かを示すための指示情報を格納する。その後、受信器は、受信中である現在のフレームのデータＰＬＰを介してブロードキャストサービスチャネルを受信する。
【００６１】
受信中である現在のフレームのブロードキャストサービスチャネルの受信を完了した後、受信器は、ステップ４０２で、次のフレーム＃（ｋ＋１）の受信を準備する。
【００６２】
ステップ４０３で、受信器は、この取得した指示情報に基づいて、Ｌ１静的情報、Ｌ１設定情報、又はＰＬＰ０情報が次のフレームの開始位置で変更されたか否かを確認する。この確認の結果、この指示情報がＬ１静的情報、Ｌ１設定情報、又はＰＬＰ０情報の変更がないことを示す場合に、受信器は、ステップ４０４で、次のフレーム＃（ｋ＋１）のＰ２を介したＬ１シグナリング又はＰＬＰ０を介したＬ２シグナリングを受信することなく、対応するデータＰＬＰの位置でブロードキャストデータを直接受信することもできる。従って、受信器は、Ｐ２を介して送信されたＬ１シグナリング又はＰＬＰ０を介して送信されたＬ２シグナリングの情報が変更されなかったことを認識したため、Ｌ１シグナリング又はＬ２シグナリングの受信位置で受信器内の装置をターンオフする。その後に、受信器は、Ｌ１シグナリング又はＬ２シグナリングの送信の後に、送信されるデータＰＬＰの受信位置で受信器内の装置をターンオンし、データＰＬＰを介して送信されたブロードキャストサービスチャネルを受信する。
【００６３】
他方、この指示情報がＬ１静的情報、Ｌ１設定情報、又はＰＬＰ０情報の変更を示す場合に、受信器は、ステップ４０３及びステップ４０５で、Ｌ１静的情報、Ｌ１設定情報、又はＰＬＰ０情報の変更を示す指示情報に基づいて、Ｐ２を介して送信されたＬ１シグナリング又はＰＬＰ０を介して送信されたＬ２シグナリングの情報が変更されることを認識する。従って、受信器は、次のフレーム＃（ｋ＋１）のＰ２を介してＬ１シグナリングを受信し、変更されたＬ１静的情報又はＬ１設定情報を取得する。また、受信器は、次のフレーム＃（ｋ＋１）のＰＬＰ０を介してＬ２シグナリングを受信し、この変更されたＬ２シグナリング情報を取得する。その理由は、Ｌ１シグナリング又はＬ２シグナリングに含まれている情報がブロードキャストサービスデータの受信に直接関連した重要な制御情報であるためである。
【００６４】
従って、Ｌ１シグナリング又はＬ２シグナリングの受信位置で送信される変更されたＬ１静的情報、Ｌ１設定情報、又はＰＬＰ０情報を受信した後に、受信器は、この変更されたＬ１静的情報、Ｌ１設定情報、又はＰＬＰ０情報を適用することによりブロードキャストサービスチャネルを受信する。
【００６５】
本発明の一実施形態として説明した指示情報を設定する３番目の方法で、受信器は、Ｌ１静的情報、Ｌ１設定情報、又はＰＬＰ０情報の変更が１つ又は複数のフレームの後になされることを認識する場合に、この指示情報に割り当てられたビットにより示されるフレームで、Ｐ２を介してＬ１シグナリングを受信するか又はＰＬＰ０を介してＬ２シグナリングを受信する。
【００６６】
例えば、ステップ４０１で取得した指示情報が‘００００１０１０’（十進数で１０である）の８ビットの値を有する場合に、受信器は、Ｌ１静的情報、Ｌ１設定情報、又はＰＬＰ０情報が現在のフレームから１０番目に対応するフレームで変更されることを認識する。従って、現在のフレームが１０番目のフレームであると仮定する場合に、受信器は、９番目のフレームまでＰ２を介してＬ１シグナリングを受信しないか又はＰＬＰ０を介してＬ２シグナリングを受信することなく、１０番目のフレームでＰ２を介してＬ１シグナリングを受信するか又はＰＬＰ０を介してＬ２シグナリングを受信する。
【００６７】
即ち、本実施形態で、受信器は、現在のフレームから９番目のフレームまでＰ２を介してＬ１シグナリングを受信しないか又はＰＬＰ０を介してＬ２シグナリングを受信することなく、１０番目のフレームで対応するデータＰＬＰを直接受信することができる。ここで、受信器は、自身の使用可能な電力に基づいてＬ１及びＬ２シグナリングを受信するか又は受信しない。
【００６８】
ステップ４０４又はステップ４０５を完了した後、受信器は、ステップ４０１に戻り、次のフレームに対してステップ４０２〜ステップ４０５を反復する。
【００６９】
上述したように、ここでは、１つのスーパーフレームが１つのフレームのみを含む場合を例に挙げて説明したが、本実施形態は、複数のフレームを含むスーパーフレームにも適用可能である。
【００７０】
この場合、図３のステップ３０３及びステップ３０４、及び図４のステップ４０１で与えられた指示情報は、次のスーパーフレームでＬ１静的情報、Ｌ１設定情報、又はＰＬＰ０情報の変更があるか否かを示すように定義することができる。別の場合、即ち、本発明の他の実施形態において、この指示情報は、次のフレームでＬ１静的情報、Ｌ１設定情報、Ｌ１動的情報、又はＰＬＰ０情報の変更があるか否かを示すように定義することができる。従って、ステップ４０３で、受信器は、スーパーフレームの単位で制御情報の変更があるか否かを確認することができる。
【００７１】
図５は、本発明の一実施形態による送信器の構成を示すブロック図である。
【００７２】
図５を参照すると、送信器は、スケジューラ５０１、制御部５０２、インバンドシグナリング信号生成部５０３、フレーム構成部５０４、送信データバッファ５０５、及びフレーム送信部５０６を含む。送信データバッファ５０５は、例えば、上位レイヤーから提供されたブロードキャストサービスデータを格納するためのメモリである。送信データバッファ５０５に格納されているブロードキャストサービスデータは、幾つかのブロードキャストサービスチャネルを介して受信器に送信される。
【００７３】
スケジューラ５０１は、送信データバッファ５０５に格納されているブロードキャストサービスデータをチェックした後にスケジューリングを実行する。このスケジューリングは、送信器が送信するブロードキャストサービスデータを考慮して特定のフレームで制御情報、即ち、Ｌ１静的情報、Ｌ１設定情報、又はＬ１動的情報、ＰＬＰ０情報、及び少なくとも１つのデータＰＬＰを決定することを含む。
【００７４】
例えば、ブロードキャストサービスが無線通信システムを介してサポートされる場合に、Ｌ１静的情報、即ち、フレーム長さ及び無線周波数チャネル数のような情報の変更が可能である。また、サービス別変調次数及び符号化率を含むＬ１設定情報は、特定のブロードキャストサービスに従って変更可能である。また、ブロードキャストサービスチャネル及び特定のＰＬＰの位置情報の変更が可能である。従って、スケジューラ５０１は、送信するブロードキャストサービスを考慮してＬ１静的情報、Ｌ１設定情報、Ｌ１動的情報、ＰＬＰ０情報、及びデータＰＬＰを設定する。このスケジューリング結果は、制御部５０２に提供される。
【００７５】
制御部５０２は、インバンドシグナリング信号生成部５０３を制御することによりインバンドシグナリング信号を生成する。ここで、インバンドシグナリング信号生成部５０３は、制御部５０２の制御の下で、Ｌ１静的情報、Ｌ１設定情報、Ｌ１動的情報、及びＰＬＰ０情報の各々に所定のビットを割り当てることにより、この情報の変更があるか否かを示すための指示情報を設定する。
【００７６】
或いは、インバンドシグナリング信号生成部５０３は、Ｌ１静的情報、Ｌ１設定情報、Ｌ１動的情報、及びＰＬＰ０情報の全てに対して１つのビットを割り当てることにより、１つのビットを用いてこの情報の変更があるか否かを示す指示情報を設定する。
【００７７】
他の代案として、インバンドシグナリング信号生成部５０３は、Ｌ１静的情報、Ｌ１設定情報、Ｌ１動的情報、及びＰＬＰ０情報の全てに対して複数のビットを割り当てることにより、この情報が現在のフレームの次のフレームで変更されることを示す指示情報を設定する。
【００７８】
また、制御部５０２は、フレーム構成部５０４を制御することによりブロードキャストサービスのためのフレームを構成する。ここで、フレーム構成部５０４は、制御部５０２の制御の下で、プリアンブル、Ｐ２を介して送信されるＬ１シグナリング、ＰＬＰ０を介して送信されるＬ２シグナリング（ＰＬＰ０情報）、及び少なくとも１つのデータＰＬＰを含む１つのフレームを構成する。
【００７９】
特に、本実施形態で、フレーム構成部５０４は、インバンドシグナリング信号生成部５０３により設定された指示情報、即ち、次のフレームでＬ１静的情報、Ｌ１設定情報、Ｌ１動的情報、又はＰＬＰ０情報が変更されるか否かを示すための指示情報を受信し、現在のフレームの特定のＰＬＰにこの指示情報を含める。即ち、フレーム構成部５０４は、インバンドシグナリング信号生成部５０３により設定された指示情報を現在のフレームの特定のデータＰＬＰに含むフレームを構成する。
【００８０】
この後、フレーム送信部５０６は、フレーム構成部５０４で構成されたフレームを受信器に送信する。
【００８１】
本実施形態で、送信器は、直交周波数分割多重（ＯＦＤＭ）方式を用いて構成されたフレームを送信することができる。また、送信器は、無線通信システムに従って符号分割多重接続（ＣＤＭＡ）又は時分割多重接続（ＴＤＭＡ）方式により構成されたフレームを送信することができる。送信器は、多入力多出力（ＭＩＭＯ）通信方式を用いて複数のアンテナを介して構成されたフレームを送信することもできる。
【００８２】
例えば、ＯＦＤＭ方式を適用する場合に、フレーム送信部５０６は、ＯＦＤＭ信号送信部と同一の構成を有することができる。この場合に、フレーム送信部５０６は、ブロードキャストサービスのための情報、即ち、ブロードキャストサービスのためのデータＰＬＰ、制御情報が割り当てられたシグナリングＰＬＰを特定のサブキャリアにマッピングするマッパー、時間領域信号を周波数領域信号に変換するための逆高速フーリエ変換器（ＩＦＦＴ）、及びサイクリックプレフィックス（ＣＰ）を周波数領域信号に挿入する挿入器によりフレームを送信することができる。
【００８３】
上述したように、図５の送信器は、各機能のための個別の構成要素、即ち、スケジューリングのためのスケジューラ５０１、他の構成要素を制御するための制御部５０２、インバンドシグナリングを遂行するためのインバンドシグナリング信号生成部５０３、フレームを構成するためのフレーム構成部５０４、バッファリングのための送信データバッファ５０５、及びフレームを送信するフレーム送信部５０６を含むことを説明しているが、このような個別の構成要素は、説明の便宜のために提供され、本発明の実施形態を制限するものとして解釈されてはならない。即ち、本発明の実施形態では、個別の構成要素により実行される機能の中の少なくとも幾つかの機能を単一の構成要素（例えば、スケジューラ５０１及び制御部５０２の動作を実行する単一の構成要素）により実行することができる送信器を介して実現することができる。
【００８４】
図６は、本発明の一実施形態による受信器の構成を示すブロック図である。
【００８５】
図６を参照すると、受信器は、データＰＬＰ受信部６０１、シグナリングＰＬＰ受信部６０３、インバンドシグナリング信号抽出部６０２、及び制御部６０４を含む。データＰＬＰ受信部６０１は、一般的な無線通信システムにおける無線信号処理部に対応する。即ち、ＯＦＤＭシステムにおいて、データＰＬＰ受信部６０１は、従来のＯＦＤＭ信号受信部を用いて送信器から送信されたフレームを受信する。
【００８６】
ブロードキャストサービスを受信するためには、受信器は、最初のフレームを受信する場合に、シグナリングＰＬＰ受信部６０３内のプリアンブル受信部（図示せず）を介してプリアンブルを受信することによりフレームとの同期を取得する。また、受信器は、Ｌ１シグナリング受信部（図示せず）を用いてＰ２シンボルを介して送信されるＬ１シグナリング情報を受信する。より具体的に、受信器は、Ｌ１シグナリング情報としてブロードキャストサービスネットワークに関する情報、フレーム長さ、ブロードキャストサービスのための無線チャネルの個数、サービス識別子情報、及び符号化率などに関する情報を取得し、自身が受信するブロードキャストサービスをサポートするための基本情報をチェックする。また、受信器は、Ｌ２シグナリング受信部（図示せず）を用いてＰＬＰ０シンボルを介して送信される各ＰＬＰとブロードキャストサービスチャネル間の接続関係を示す情報を取得し、このブロードキャストサービスに関連してデータＰＬＰを受信する位置に関する情報をチェックする。その後に、受信器は、データＰＬＰ受信部６０１を用いて、送信されたデータＰＬＰのブロードキャストサービスチャネルを受信する。
【００８７】
しかし、最初のフレームでないフレームを受信する場合に、受信器は、本実施形態で、インバンドシグナリング信号抽出部６０２により抽出された指示情報を用いてデータＰＬＰ受信部６０１を介してデータＰＬＰのブロードキャストサービスチャネルだけを受信することができる。
【００８８】
更に具体的に、データＰＬＰ受信部６０１は、図５と関連して説明した送信器の逆動作を実行する装置を含むことができる。この場合に、受信器は、ブロードキャストサービスのための情報に対応するシンボルを特定のサブキャリアからデマッピングするデマッパー、周波数領域信号を時間領域信号に変換する高速フーリエ変換器（ＦＦＴ）、及びサイクリックプレフィックスを除去するガードインターバル除去器を更に含むことができる。ＣＤＭＡ又はＴＤＭＡ無線通信方式を用いるシステムにおいて、受信器は、この通信方式に対応する構成を有するデータＰＬＰを受信することができる。しかし、受信部の構成は本発明の要旨でないため、その詳細な説明は省略する。
【００８９】
インバンドシグナリング信号抽出部６０２は、次のフレームのＬ１静的情報、Ｌ１設定情報、Ｌ１動的情報、又はＰＬＰ０情報の変更があるか否かを示す指示情報を抽出し、この指示情報は、データＰＬＰ受信部６０１から提供された特定のＰＬＰに含まれている。即ち、インバンドシグナリング信号抽出部６０２は、次のフレームでＰ２を介して送信されるＬ１シグナリング情報であるＬ１静的情報、Ｌ１設定情報、及びＬ１動的情報の中のいずれか１つの情報の変更があるか否かを示す指示情報をデータＰＬＰ受信部６０１で取得した特定のデータＰＬＰから抽出するか、又はＰＬＰ０を介して送信されるＬ２シグナリング情報の変更があるか否かを示す指示情報であるインバンドシグナリング信号を抽出する。また、受信器は、次のフレームで同一のＰＬＰの位置情報であるＬ１動的情報の変更があるか否かを示す指示情報を抽出する。
【００９０】
インバンドシグナリング信号抽出部６０２で抽出したインバンドシグナリング信号は、制御部６０４に入力される。制御部６０４は、この抽出されたインバンドシグナリング信号を用いてシグナリングＰＬＰ受信部６０３をターンオフすることによりデータＰＬＰだけを受信する。或いは、制御部６０４は、Ｌ１又はＬ２シグナリング情報及びデータＰＬＰを全て受信するようにデータＰＬＰ受信部６０１及びシグナリングＰＬＰ受信部６０３をターンオンする。
【００９１】
より具体的に、このインバンドシグナリング信号から抽出された指示情報が次のフレームでＬ１静的情報、Ｌ１設定情報、Ｌ１動的情報及び／又はＰＬＰ０を介して送信されるＬ２シグナリング情報の変更を示す場合に、制御部６０４は、Ｌ１シグナリング又はＬ２シグナリングの受信位置でシグナリングＰＬＰ受信部６０３をターンオンすることにより変更されたシグナリング情報を受信する。制御部６０４は、ブロードキャストサービスチャネルを介して送信されるブロードキャストデータを受信するために、Ｌ１シグナリング又はＬ２シグナリングの送信の後に送信されるデータＰＬＰの受信位置でデータＰＬＰ受信部６０１をターンオンする。即ち、制御部６０４は、データＰＬＰ受信部６０１及びシグナリングＰＬＰ受信部６０３の全てをターンオンすることにより、変更されたＬ１シグナリング又はＬ２シグナリングを必ず受信し、その結果、エラーのないブロードキャストデータを受信することができるようにする。
【００９２】
しかし、このインバンドシグナリング信号から抽出された指示情報がＬ１静的情報、Ｌ１設定情報、Ｌ１動的情報、及びＰＬＰ０情報の変更がないことを示す場合に、制御部６０４は、ブロードキャストサービスチャネルを介してブロードキャストデータを受信するために、Ｌ１シグナリング又はＬ２シグナリングの受信位置でシグナリングＰＬＰ受信部６０３をターンオフし、Ｌ１シグナリング又はＬ２シグナリングの送信の後に送信されるデータＰＬＰの受信位置でデータＰＬＰ受信部６０１をターンオンする。即ち、このインバンドシグナリング信号から変更された制御情報がないことを確認した制御部６０４は、データＰＬＰ受信部６０１だけをターンオンすることにより既存の制御情報を用いてブロードキャストデータを受信する。
【００９３】
上述したように、本発明で、制御部６０４は、インバンドシグナリング抽出部６０２から現在受信中であるデータＰＬＰを介して送信される次のフレームでの制御情報が変更されるか否かを示す指示情報をチェックし、この指示情報によりデータＰＬＰ受信部６０１又はシグナリングＰＬＰ受信部６０３を選択的にターンオンするか又はターンオフする。言い換えると、制御部６０４は、受信部６０１及び６０３を効率的に制御することにより受信器の電力消費を最小にする。また、制御部６０４が次のフレームの送信の前に制御情報の変更があるか否かを認識するため、受信器は、エラーなしにブロードキャストサービスチャネルを明確に受信することができる。
【００９４】
図６の受信器は、図５の送信器のように、各機能のための個別の構成要素、即ち、データＰＬＰ受信部６０１、インバンドシグナリング信号抽出部６０２、シグナリングＰＬＰ受信部６０３、及び制御部６０４を含むことを説明しているが、これらの個別の構成要素は、説明の便宜のために提供されているだけであり、本発明の実施形態を制限するものと解釈してはならない。即ち、本発明の実施形態は、この別個の構成要素により実行される機能の中の少なくとも幾つかの機能を単一の構成要素により実行することができる受信器を介して実現することができる。
【００９５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００９６】
１０１    フレーム
２０１    フレームＫ
２０２    フレームＫ＋１
５０１    スケジューラ
５０２、６０４    制御部
５０３    インバンドシグナリング信号生成部
５０４    フレーム構成部
５０５    送信データバッファ
５０６    フレーム送信部（ＯＦＤＭ信号送信部）
６０１    データＰＬＰ受信部
６０２    インバンドシグナリング信号抽出部
６０３    シグナリングＰＬＰ受信部
【図１】
2011517377.tif 000003
【図２】
2011517377.tif 000004
【図３】
2011517377.tif 000005
【図４】
2011517377.tif 000006
【図５】
2011517377.tif 000007
【図６】
2011517377.tif 000008
【国際調査報告】
2011517377.tif 000009
2011517377.tif 000010